(57)【要約】【課題】測定に関する操作性を損なうことなく、測定結果の視認性を向上させることができる測定装置及び測定方法を提供する。【解決手段】測定装置１０は、ＤＵＴ１の測定を行う測定部２３と、表示エリアを有する表示部４１と、画面を切り替える画面切替部５３と、表示制御を行う通常画面表示制御部５１及び全画面表示制御部５２と、を備え、通常画面表示制御部５１は、パラメータエリアと、操作パネルエリアと、結果表示エリアとを有する画面を表示エリアに表示する表示制御を行い、全画面表示制御部５２は、測定結果画面を表示エリアに全画面表示する表示制御を行うとともに、全画面表示した測定結果画面に操作パネルの画像をフローティング表示する表示制御を行う構成を有する。【選択図】図１
2018151281.tif 000002
【特許請求の範囲】
【請求項１】
被測定装置（１）の測定を行う測定手段（２３）と、
前記測定に関する所定の情報を表示する表示エリア（４１ａ）を有する表示手段（４１）と、
前記表示エリアに表示する第１の画面と第２の画面とを切り替える画面切替手段（５３）と、
前記第１の画面の表示制御を行う第１の表示制御手段（５１）と、
前記第２の画面の表示制御を行う第２の表示制御手段（５２）と、
を備え、
前記第１の表示制御手段は、
前記測定に関するパラメータを表示するパラメータエリア（６１）と、
前記測定の操作に関するコマンドを入力可能な操作パネルの画像を表示する操作パネルエリア（６２）と、
前記測定の結果を表示する結果表示エリア（６３）と、
を有する画面を前記第１の画面として前記表示エリアに表示する表示制御を行うものであり、
前記第２の表示制御手段は、
前記測定の結果を表示する測定結果画面を前記第２の画面として前記表示エリアに全画面表示する表示制御を行うとともに、全画面表示した前記測定結果画面に前記操作パネルの画像（６４）をフローティング表示する表示制御を行うものであることを特徴とする測定装置。
【請求項２】
前記測定手段を備えた測定処理装置（７０）と、
前記第１又は前記第２の画面の表示制御を行う表示制御装置（８０）と、
を有し、
前記測定処理装置は、
前記測定の結果のデータを前記表示制御装置に送信する送信手段（７１）を備え、
前記表示制御装置は、
前記測定の結果のデータを受信する受信手段（８１）と、
前記表示手段、前記画面切替手段、前記第１及び前記第２の表示制御手段と、
を備え、
前記測定処理装置から受信した前記測定の結果のデータに基づいて前記第１又は前記第２の画面の表示制御を行うものであることを特徴とする請求項１に記載の測定装置。
【請求項３】
前記操作パネルは、前記測定の状態を示す情報を表示可能であることを特徴とする請求項１又は請求項２に記載の測定装置。
【請求項４】
被測定装置（１）の測定を行う測定ステップ（Ｓ１２）と、
前記測定に関する所定の情報を表示エリア（４１ａ）に表示する表示ステップ（Ｓ１５）と、
前記表示エリアに表示する第１の画面と第２の画面とを切り替える画面切替ステップ（Ｓ１６）と、
前記第１の画面の表示制御を行う第１の表示制御ステップ（Ｓ１４）と、
前記第２の画面の表示制御を行う第２の表示制御ステップ（Ｓ１７）と、
を含み、
前記第１の表示制御ステップにおいて、
前記測定に関するパラメータを表示するパラメータエリア（６１）と、
前記測定の操作に関するコマンドを入力可能な操作パネルの画像を表示する操作パネルエリア（６２）と、
前記測定の結果を表示する結果表示エリア（６３）と、
を有する画面を前記第１の画面として前記表示エリアに表示し、
前記第２の表示制御ステップにおいて、
前記測定の結果を表示する測定結果画面を前記第２の画面として前記表示エリアに全画面表示するとともに、全画面表示した前記測定結果画面に前記操作パネルの画像（６４）をフローティング表示することを特徴とする測定方法。
【発明の詳細な説明】
【技術分野】
【０００１】
本発明は、例えば無線通信技術を用いて被測定装置を測定する測定装置及び測定方法に関する。
【背景技術】
【０００２】
近年、携帯電話機やＰＤＡ端末等の通信機器は多機能化が進んでいる。それに伴って測定装置も多機能化が進み、それらの機能を実現するために複雑な構成のハードウェアが実装されている。測定装置が多機能化すると、測定条件の設定や測定結果の表示等を行う際のキー操作が煩雑となるので、それを改善するものが提案されている（例えば、特許文献１参照）。
【０００３】
特許文献１に記載の従来のものは、メニュー画面において所定の項目を選択するメニュー選択装置と、測定条件等を入力する専用入力装置と、を備えている。メニュー選択装置及び専用入力装置は、それぞれ、複数のボタンで構成されている。これら複数のボタンは、パネル表面に設けられた表示装置を包囲するよう配置されている。
【先行技術文献】
【特許文献】
【０００４】
【特許文献１】特許第４００６２７９号公報
【発明の概要】
【発明が解決しようとする課題】
【０００５】
しかしながら、従来のものでは、ユーザが操作する複数のボタンが、パネル表面に設けられた表示装置を包囲するよう配置されているので、表示装置の表示エリア自体が狭くなっていた。
【０００６】
そのため、従来のものでは、例えば、１つの測定項目に対し、互いに異なる複数の解析方法を用いて測定した測定結果を視認性よく比較表示することが困難であった。
【０００７】
一方、従来の表示装置の表示エリアを単純に広くして測定結果のみを表示しようとすると、測定結果の視認性は向上するものの、測定結果を表示した状態で測定に関する操作が困難となるという新たな課題が発生してしまう。
【０００８】
本発明は、前述のような事情に鑑みてなされたものであり、測定に関する操作性を損なうことなく、測定結果の視認性を向上させることができる測定装置及び測定方法を提供することを目的とする。
【課題を解決するための手段】
【０００９】
本発明の請求項１に係る測定装置は、被測定装置（１）の測定を行う測定手段（２３）と、前記測定に関する所定の情報を表示する表示エリア（４１ａ）を有する表示手段（４１）と、前記表示エリアに表示する第１の画面と第２の画面とを切り替える画面切替手段（５３）と、前記第１の画面の表示制御を行う第１の表示制御手段（５１）と、前記第２の画面の表示制御を行う第２の表示制御手段（５２）と、を備え、前記第１の表示制御手段は、前記測定に関するパラメータを表示するパラメータエリア（６１）と、前記測定の操作に関するコマンドを入力可能な操作パネルの画像を表示する操作パネルエリア（６２）と、前記測定の結果を表示する結果表示エリア（６３）と、を有する画面を前記第１の画面として前記表示エリアに表示する表示制御を行うものであり、前記第２の表示制御手段は、前記測定の結果を表示する測定結果画面を前記第２の画面として前記表示エリアに全画面表示する表示制御を行うとともに、全画面表示した前記測定結果画面に前記操作パネルの画像（６４）をフローティング表示する表示制御を行うものである構成を有している。
【００１０】
この構成により、本発明の請求項１に係る測定装置は、測定の結果を表示する測定結果画面を表示エリアに全画面表示できるので、測定結果の視認性を向上させることができる。
【００１１】
また、この構成により、本発明の請求項１に係る測定装置は、全画面表示した結果表示エリアに、測定の操作に関するコマンドを入力可能な操作パネルの画像をフローティング表示するので、測定に関する操作性を損なうことなく測定結果を表示することができる。
【００１２】
したがって、本発明の請求項１に係る測定装置は、測定に関する操作性を損なうことなく、測定結果の視認性を向上させることができる。
【００１３】
本発明の請求項２に係る測定装置は、前記測定手段を備えた測定処理装置（７０）と、前記第１又は前記第２の画面の表示制御を行う表示制御装置（８０）と、を有し、前記測定処理装置は、前記測定の結果のデータを前記表示制御装置に送信する送信手段（７１）を備え、前記表示制御装置は、前記測定の結果のデータを受信する受信手段（８１）と、前記表示手段、前記画面切替手段、前記第１及び前記第２の表示制御手段と、を備え、前記測定処理装置から受信した前記測定の結果のデータに基づいて前記第１又は前記第２の画面の表示制御を行うものである構成を有している。
【００１４】
この構成により、本発明の請求項２に係る測定装置は、表示手段を備えていない測定処理装置と、表示手段を備えた表示制御装置とを組み合わせた装置構成においても、測定に関する操作性を損なうことなく、測定結果の視認性を向上させることができる。
【００１５】
本発明の請求項３に係る測定装置は、前記操作パネルは、前記測定の状態を示す情報を表示可能である構成を有している。
【００１６】
この構成により、本発明の請求項３に係る測定装置は、操作パネルにより測定の状態を示す情報を表示可能である。
【００１７】
本発明の請求項４に係る測定方法は、被測定装置（１）の測定を行う測定ステップ（Ｓ１２）と、前記測定に関する所定の情報を表示エリア（４１ａ）に表示する表示ステップ（Ｓ１５）と、前記表示エリアに表示する第１の画面と第２の画面とを切り替える画面切替ステップ（Ｓ１６）と、前記第１の画面の表示制御を行う第１の表示制御ステップ（Ｓ１４）と、前記第２の画面の表示制御を行う第２の表示制御ステップ（Ｓ１７）と、を含み、前記第１の表示制御ステップにおいて、前記測定に関するパラメータを表示するパラメータエリア（６１）と、前記測定の操作に関するコマンドを入力可能な操作パネルの画像を表示する操作パネルエリア（６２）と、前記測定の結果を表示する結果表示エリア（６３）と、を有する画面を前記第１の画面として前記表示エリアに表示し、前記第２の表示制御ステップにおいて、前記測定の結果を表示する測定結果画面を前記第２の画面として前記表示エリアに全画面表示するとともに、全画面表示した前記測定結果画面に前記操作パネルの画像（６４）をフローティング表示する構成を有している。
【００１８】
この構成により、本発明の請求項４に係る測定方法は、測定の結果を表示する測定結果画面を表示エリアに全画面表示できるので、測定結果の視認性を向上させることができる。
【００１９】
また、この構成により、本発明の請求項４に係る測定方法は、全画面表示した結果表示エリアに、測定の操作に関するコマンドを入力可能な操作パネルの画像をフローティング表示するので、測定に関する操作性を損なうことなく測定結果を表示することができる。
【００２０】
したがって、本発明の請求項４に係る測定方法は、測定に関する操作性を損なうことなく、測定結果の視認性を向上させることができる。
【発明の効果】
【００２１】
本発明は、測定に関する操作性を損なうことなく、測定結果の視認性を向上させることができるという効果を有する測定装置及び測定方法を提供することができるものである。
【図面の簡単な説明】
【００２２】
【図１】本発明に係る測定装置の一実施形態におけるブロック構成図である。
【図２】本発明に係る測定装置の一実施形態において、通常画面表示制御部及び全画面表示制御部がそれぞれ表示する画面の一例を示す図である。
【図３】本発明に係る測定装置の一実施形態において、全画面表示制御部によって全面表示された測定結果のグラフと、それらに重ねてフローティング表示された操作パネルの画像を示す図である。
【図４】本発明に係る測定装置の一実施形態におけるフローチャートである。
【図５】本発明に係る測定装置の一実施形態の変形例におけるブロック構成図である。
【発明を実施するための形態】
【００２３】
以下、本発明の実施形態について図面を用いて説明する。
【００２４】
まず、本発明に係る測定装置の一実施形態における構成について説明する。
【００２５】
図１に示すように、本実施形態における測定装置１０は、ＤＵＴ１と無線通信を行って、ＤＵＴ１を測定するものである。なお、ＤＵＴ１は、被測定装置の一例である。
【００２６】
測定装置１０は、操作部１１、設定部１２、測定処理部２０、記憶部３０、表示処理部４０を備えている。この測定装置１０は、ＣＰＵ、ＲＯＭ、ＲＡＭ、各種インタフェースが接続される入出力回路等を備えたマイクロコンピュータを含む。測定装置１０は、ＲＯＭに予め格納された制御プログラムを実行させることにより、マイクロコンピュータを測定装置１０の各機能部として機能させるようになっている。
【００２７】
操作部１１は、ＤＵＴ１を測定する測定項目や測定条件、判定条件等のパラメータを設定するためユーザが操作するものであり、例えば、タッチパネルやハードウェアキーで構成されたキーボード、ダイヤル又はマウスのような入力デバイス、これらを制御する制御回路等で構成される。
【００２８】
設定部１２は、ユーザが操作部１１を操作することによって入力した測定条件等のパラメータや各種情報を測定処理部２０、記憶部３０、表示制御部５０（後述）に出力するようになっている。
【００２９】
測定処理部２０は、送信データ生成部２１、送受信部２２、測定部２３を備えている。
【００３０】
送信データ生成部２１は、例えば、ＤＵＴ１の受信性能を評価するための受信測定を実施するため、所定の信号パターンのデータを発生する信号発生器を備えている。送受信部２２は、設定部１２からの指示信号に従って、所定の信号パターンのデータをパケット化してＤＵＴ１に送信し、ＤＵＴ１からの応答信号を受信するようになっている。
【００３１】
送受信部２２は、送信部２２ａ及び受信部２２ｂを備え、例えば、ＩＥＥＥ８０２．１１に準拠する通信規格に基づいて、ＤＵＴ１との間で無線通信接続を確立するようになっている。また、送受信部２２は、無線通信接続の確立後に、ＤＵＴ１に対して、測定に関する各種データを送受信するようになっている。
【００３２】
送信部２２ａは、図示を省略したが、変調回路、ＤＡＣ（デジタルアナログコンバータ）、アップコンバータ、送信アンテナ等を備え、送信データ生成部２１が生成した送信データに対してデジタル変調やアップコンバート等の処理を行い、送信アンテナを介してＤＵＴ１に送信するようになっている。
【００３３】
受信部２２ｂは、図示を省略したが、受信アンテナ、ダウンコンバータ、ＡＤＣ（アナログデジタルコンバータ）、復調回路等を備え、ＤＵＴ１からの信号を受信アンテナを介して受信し、ダウンコンバート処理や復調処理等を行って、ＤＵＴ１から受信した測定対象のデータを測定部２３に出力するようになっている。
【００３４】
測定部２３は、受信部２２ｂによって受信されたＤＵＴ１の測定対象のデータを入力し、ユーザが操作部１１を操作して設定した測定条件に基づいてＤＵＴ１の送信特性や受信特性の測定を行い、測定結果のデータを記憶部３０に出力するようになっている。この測定部２３は、測定手段の一例である。
【００３５】
具体的には、測定部２３は、ＤＵＴ１の送信特性として、例えば、送信パワー、ＥＶＭ（Error Vector Magnitude）、コンスタレーション等を測定可能である。また、測定部２３は、ＤＵＴ１の受信特性として、例えば、受信感度、フレームエラーレート等を測定可能である。
【００３６】
記憶部３０は、パラメータデータ３１、操作パネルデータ３２、測定結果データ３３を記憶するようになっている。
【００３７】
パラメータデータ３１は、例えば、設定部１２によって設定された測定項目のデータや測定項目ごとに定めるパラメータのデータ等を含む。
【００３８】
操作パネルデータ３２は、例えば、測定の開始及び停止といった測定の操作に関するコマンドを入力するためのデータ（例えばアイコンデータ）、測定中にエラーが発生したことを示すデータ、操作パネルの画像を表示するためのデータ等を含む。
【００３９】
測定結果データ３３は、例えば、測定部２３によって得られたＤＵＴ１の送信特性、受信特性についての測定結果のデータを含む。
【００４０】
表示処理部４０は、表示制御部５０、表示部４１を備えている。表示制御部５０は、通常画面表示制御部５１、全画面表示制御部５２、画面切替部５３を備えている。表示部４１は、表示制御部５０の制御に従って、測定に関する所定の情報を表示する表示エリアを有する。この表示部４１は、表示手段の一例である。
【００４１】
通常画面表示制御部５１は、後述するように、測定に関するパラメータを表示するパラメータエリア、測定の操作に関するコマンドを入力可能な操作パネルの画像を表示する操作パネルエリア、測定の結果を表示する結果表示エリアを表示部４１の表示エリアに表示する表示制御を行うようになっている。この通常画面表示制御部５１は、第１の表示制御手段の一例である。
【００４２】
全画面表示制御部５２は、測定の結果を表示する測定結果画面を表示部４１の表示エリアに全画面表示する表示制御を行うようになっている。また、全画面表示制御部５２は、全画面表示した測定結果画面に操作パネルの画像をフローティング表示するフローティング表示制御部５２ａを備えている。この全画面表示制御部５２は、第２の表示制御手段の一例である。
【００４３】
画面切替部５３は、例えば、ユーザにより操作部１１の所定のキーが押下されたことを条件として、通常画面表示制御部５１が表示する画面（第１の画面）と、全画面表示制御部５２が表示する画面（第２の画面）とを切り替えるようになっている。この画面切替部５３は、画面切替手段の一例である。
【００４４】
次に、通常画面表示制御部５１及び全画面表示制御部５２が表示する画面について図２を用いて説明する。
【００４５】
図２（ａ）は、通常画面表示制御部５１が、表示部４１の表示エリア４１ａに表示する通常画面（第１の画面）を示している。通常画面は、測定に関するパラメータを表示するパラメータエリア６１と、測定の操作に関するコマンドを入力可能な操作パネルの画像を表示する操作パネルエリア６２と、測定の結果を表示する結果表示エリア６３と、を含む。
【００４６】
ここで、操作パネルは、測定の操作に関するコマンドとして、例えば、測定の開始、停止等のコマンドが入力可能である。なお、操作パネルに測定の状態を示す情報を表示させる構成としてもよい。例えば、測定中又は測定終了の状態を示す情報や、測定結果がエラー無しで得られたものか、又はエラーが含まれた状態で得られたものかといった情報を操作パネルに表示させる構成としてもよい。
【００４７】
図２（ｂ）は、全画面表示制御部５２が、表示部４１の表示エリア４１ａに表示する全画面表示の画面（第２の画面）を示している。全画面表示の画面は、測定の結果を表示する結果表示エリア６３が表示エリア４１ａの全面に設けられたものである。さらに、全画面表示の画面には、フローティング表示制御部５２ａの表示制御により、操作パネルの画像６４が結果表示エリア６３にフローティング表示される。この操作パネルの画像６４は、結果表示エリア６３に表示された測定結果を示す数値や文字情報、グラフ等に対し常に前面に表示される。例えば、操作パネルの画像６４は、図３に示すように表示される。
【００４８】
図３は、全画面表示制御部５２によって、測定結果のグラフＡ〜Ｆが表示エリア４１ａに全画面表示され、操作パネルの画像６４がグラフＤ及びＥの画像に重ねてフローティング表示された状態を示している。操作パネルの画像６４はフローティング表示されているので、例えばグラフＥの縦軸目盛が読み取れない場合には、ユーザは、マウス等のドラッグ＆ドロップ操作により、操作パネルの画像６４を任意の場所に移動することができて好ましい。
【００４９】
次に、本実施形態における測定装置１０の動作について図４を用いて説明する。なお、ＤＵＴ１との無線通信接続は完了しているものとする。
【００５０】
設定部１２は、ユーザが操作部１１を操作することによって入力したＤＵＴ１を測定するための測定パラメータ等を設定し（ステップＳ１１）、測定処理部２０、記憶部３０及び表示制御部５０（後述）に出力する。
【００５１】
測定部２３は、受信部２２ｂによって受信されたＤＵＴ１の測定対象のデータを入力し、ユーザが操作部１１を操作して設定した測定条件に基づいてＤＵＴ１の送信特性、受信測定を行い（ステップＳ１２）、測定結果のデータを記憶部３０に出力する。
【００５２】
記憶部３０は、測定部２３から測定結果のデータを入力し、測定結果データ３３として記憶する。
【００５３】
通常画面表示制御部５１は、表示部４１の表示エリア４１ａに表示する通常画面の表示制御を行って（ステップＳ１４）、表示部４１は、通常画面を表示エリア４１ａに表示する（ステップＳ１５）。
【００５４】
画面切替部５３は、例えば、ユーザにより操作部１１の所定のキーが押下されたか否かに基づいて、画面を切り替えるか否かを判断する（ステップＳ１６）。
【００５５】
ステップＳ１６において、画面切替部５３が、所定のキーが押下されなかったと判断した場合には、通常画面の表示状態を維持するためステップＳ１４の処理に戻る。
【００５６】
一方、ステップＳ１６において、画面切替部５３が、所定のキーが押下されたと判断した場合には、通常画面の表示を全画面表示に切り替える。
【００５７】
すなわち、全画面表示制御部５２は、測定結果画面を表示部４１の表示エリア４１ａに全画面表示する表示制御を実行し（ステップＳ１７）、フローティング表示制御部５２ａは、全画面表示された測定結果画面に操作パネルの画像６４をフローティング表示する。
【００５８】
表示部４１は、全画面表示制御部５２の表示制御に従って、測定結果画面を表示エリア４１ａに全画面表示し、操作パネルの画像６４をフローティング表示する（ステップＳ１８）。
【００５９】
以上のように、本実施形態における測定装置１０は、測定結果を表示する結果表示エリア６３を表示部４１の表示エリア４１ａに全画面表示できるので、測定結果の視認性を向上させることができる。
【００６０】
また、本実施形態における測定装置１０は、全画面表示した結果表示エリア６３に、測定の操作に関するコマンドを入力可能な操作パネルの画像６４をフローティング表示するので、測定に関する操作性を損なうことなく測定結果を表示することができる。
【００６１】
したがって、本実施形態における測定装置１０は、測定に関する操作性を損なうことなく、測定結果の視認性を向上させることができる。
【００６２】
よって、本実施形態における測定装置１０は、例えば、ＤＵＴ１の多機能化に対応するため、多種多様な測定結果を表示部４１に全面表示して詳細に比較検討したい場合に有用である。
【００６３】
［変形例］
次に、本実施形態の変形例について図５を用いて説明する。なお、図１で説明した構成と同様な構成には同一の符号を付して、その説明を省略する。
【００６４】
図５に示すように、変形例における測定装置１５は、測定処理装置７０、表示制御装置８０を備えている。
【００６５】
測定処理装置７０は、測定処理部２０、第１の通信部７１を備えている。第１の通信部７１は、測定処理部２０に接続され、所定の通信規格に基づいて表示制御装置８０と通信するようになっている。この第１の通信部７１は、送信手段の一例である。なお、測定処理装置７０は、例えば、表示装置を備えていない測定器で構成することができる。
【００６６】
表示制御装置８０は、操作部１１、設定部１２、記憶部３０、表示処理部４０、第２の通信部８１を備えている。第２の通信部８１は、設定部１２及び記憶部３０に接続され、所定の通信規格に基づいて測定処理装置７０の第１の通信部７１と通信するようになっている。例えば、第２の通信部８１は、設定部１２が設定した各種の設定情報を測定処理装置７０の第１の通信部７１に送信することができる。また、第２の通信部８１は、測定処理装置７０からＤＵＴ１の測定結果のデータを受信し、記憶部３０に記憶することができる。この第２の通信部８１は、受信手段の一例である。なお、表示制御装置８０は、例えば、パーソナルコンピュータで構成することができる。
【００６７】
変形例における測定装置１５は、前述のように構成されているので、第２の通信部８１が第１の通信部７１からＤＵＴ１の測定結果のデータを受信し、受信した測定結果のデータに基づいて、通常画面（図２（ａ）参照）又は全画面（図２（ｂ）参照）の表示制御を行って、表示部４１の表示エリア４１ａに測定結果を表示することができる。
【００６８】
以上のように、変形例における測定装置１５は、例えば、表示手段を備えていない測定器と、パーソナルコンピュータとを組み合わせた装置構成においても、前述の実施形態と同様に、測定に関する操作性を損なうことなく、測定結果の視認性を向上させることができる。
【産業上の利用可能性】
【００６９】
以上のように、本発明に係る測定装置及び測定方法は、測定に関する操作性を損なうことなく、測定結果の視認性を向上させることができるという効果を有し、例えば無線通信技術を用いて被測定装置を測定する測定装置及び測定方法として有用である。
【符号の説明】
【００７０】
１  ＤＵＴ（被測定装置）
１０、１５  測定装置
２３  測定部（測定手段）
４０  表示処理部
４１  表示部（表示手段）
４１ａ  表示エリア
５０  表示制御部
５１  通常画面表示制御部（第１の表示制御手段）
５２  全画面表示制御部（第２の表示制御手段）
５２ａ  フローティング表示制御部
５３  画面切替部（画面切替手段）
６１  パラメータエリア
６２  操作パネルエリア
６３  結果表示エリア
６４  操作パネルの画像
７０  測定処理装置
７１  第１の通信部（送信手段）
８０  表示制御装置
８１  第２の通信部（受信手段）
【図１】
2018151281.tif 000003
【図２】
2018151281.tif 000004
【図３】
2018151281.tif 000005
【図４】
2018151281.tif 000006
【図５】
2018151281.tif 000007